(57)【特許請求の範囲】
【請求項１】
座面中心部の周囲に回り止め用の凸起を有する座部、及び前記座部の中心部を貫通して延び、先端側の外周面にねじを有する軸筒からなる受け座と、前記軸筒内に回転可能に挿通される駆動軸と、前記駆動軸に作動連結され、前記軸筒の基端部に連結されるハンドルレバーとを備え、前記受け座の前記軸筒を扉に穿設する取付穴に通すとともに、前記受け座の前記回り止め用の凸起を扉の取付穴の周囲に穿設する回り止め用の穴に嵌め込み、扉の背面側で前記軸筒にナットを締結して、扉に取り付ける形式の金属製のハンドルに装着され、前記ハンドルの帯電を防止するハンドル用帯電防止金具であって、
金属材からなり、
前記受け座の前記軸筒を挿通可能に形成されるリング状の本体と、
前記リング状の本体の一部に形成され、扉の回り止め用の穴に係合可能に突出される係止部と、
前記リング状の本体の一部に形成され、扉の背面に食い込み可能に突出される突起と、
を備え、
前記ハンドルを扉に取り付ける際に、扉の背面側で前記リング状の本体を前記軸筒の周囲に取り付けて扉の背面と前記ナットとの間に介装し、
前記ナットの締め込みにより前記リング状の本体を扉の背面に圧接することにより、前記突起を扉の背面に食い込み接触させて、扉にアースを取る、
ことを特徴とするハンドル用帯電防止金具。
【請求項２】
突起はリング状の本体の外周縁部又は一方の面又は内周縁部に設けられる請求項１に記載のハンドル用帯電防止金具。
【請求項３】
突起はリング状の本体に対称的に対にして設けられる請求項１又は２に記載のハンドル用帯電防止金具。
【請求項４】
突起はリング状の本体に切り起しにより形成される請求項１乃至３のいずれかに記載のハンドル用帯電防止金具。
【発明の詳細な説明】
【技術分野】
【０００１】
本発明は、重電機器、電気設備など各種の機器格納用のキャビネットやケースの扉その他各種の扉に使用するハンドル用帯電防止金具に関する。
【背景技術】
【０００２】
従来、重電機器、電気設備などの機器格納用のキャビネットやケースの扉には各種のハンドルが取り付けられている。その一例が例えば特許文献１により開示されている。
この文献１のハンドルは所謂Ｌ型ハンドルで、座面の中心部の周囲に一対の回り止め用の凸起を有する座部、及び座部の中心部を貫通して延び、先端側の外周面にねじを有する軸筒からなる受け座と、軸筒内に回転可能に挿通される駆動軸と、駆動軸に作動連結され、軸筒の基端部に連結されるハンドルレバーと、駆動軸の先端に取り付けられる止め金とを備えて構成される。
このハンドルを扉に取り付けるときは、扉のハンドル取付位置にハンドルの軸筒を挿通可能な取付孔と、ハンドルの座部の一対の回り止め用の凸起を嵌挿可能な一対の回り止め用の穴をそれぞれ形成し、ハンドルの軸筒を先端から扉の取付穴に通すとともに、座部の各回り止め用の凸起を扉の各回り止め用の穴に嵌め込んで座部の座面を扉の正面に当接し、この状態から、扉の背面側で軸筒に歯付き座金を介して六角ナットを締結する。そして、駆動軸の先端に止め金を取付ねじにより取り付け、キャビネット又はケースの固定枠に受け金を取り付ける。
このようにしてハンドルを取り付けて、ハンドルレバーを回動操作することにより、駆動軸を回転し、止め金を回動して固定枠側の受け金に係脱するようになっている。
【先行技術文献】
【特許文献】
【０００３】
【特許文献１】特開２００６−１６７９７公報
【発明の概要】
【発明が解決しようとする課題】
【０００４】
しかしながら、この種のハンドルは、絶縁性を有する塗装を施された扉に取り付けられることが多く、また、ハンドルそれ自体が、通常、金属により形成されているため、ハンドル周囲の環境などによりハンドルレバーに静電気が帯電することがあり、ユーザーが扉を開閉するため、手でハンドルレバーに触ると、ハンドルの静電気がユーザーの人体に放電されて、電気ショック（痛み）を受けることがある、という問題がある。
【０００５】
そこで、本発明は、この種のハンドルの扉への取り付けに用いる受け座の軸筒を利用して簡易かつ確実に取り付け、ハンドルの静電気の帯電を防止し、ユーザーのハンドルレバーの操作の際に静電気の放電による痛みなどの電気ショックを防止することのできるハンドル用帯電防止金具を提供すること、を目的とする。
【課題を解決するための手段】
【０００６】
上記目的を達成するために、本発明は、
座面中心部の周囲に回り止め用の凸起を有する座部、及び前記座部の中心部を貫通して延び、先端側の外周面にねじを有する軸筒からなる受け座と、前記軸筒内に回転可能に挿通される駆動軸と、前記駆動軸に作動連結され、前記軸筒の基端部に連結されるハンドルレバーとを備え、前記受け座の前記軸筒を扉に穿設する取付穴に通すとともに、前記受け座の前記回り止め用の凸起を扉の取付穴の周囲に穿設する回り止め用の穴に嵌め込み、扉の背面側で前記軸筒にナットを締結して、扉に取り付ける形式の金属製のハンドルに装着され、前記ハンドルの帯電を防止するハンドル用帯電防止金具であって、
（イ）金属材からなり、
（ロ）前記受け座の前記軸筒を挿通可能に形成されるリング状の本体と、
（ハ）前記リング状の本体の一部に形成され、扉の回り止め用の穴に係合可能に突出される係止部と、
（ニ）前記リング状の本体の一部に形成され、扉の背面に食い込み可能に突出される突起と、
を備え、
前記ハンドルを扉に取り付ける際に、扉の背面側で前記リング状の本体を前記軸筒の周囲に取り付けて扉の背面と前記ナットとの間に介装し、
前記ナットの締め込みにより前記リング状の本体を扉の背面に圧接することにより、前記突起を扉の背面に食い込み接触させて、扉にアースを取る、
ことを要旨とする。
【０００７】
また、この帯電防止金具は、次のように具体化される。
（１）突起はリング状の本体の外周縁部又は一方の面又は内周縁部に設けられる。
（２）突起はリング状の本体に対称的に対にして設けられる。
（３）突起はリング状の本体に切り起しにより形成される。
【発明の効果】
【０００８】
本発明のハンドル用帯電防止金具によれば、上記（イ）−（ニ）の構成を備え、ハンドルを扉に取り付ける際に、扉の背面側でリング状の本体を軸筒の周囲に取り付けて扉の背面とナットとの間に介装し、ナットの締め込みによりリング状の本体を扉の背面に圧接して、この本体の突起を扉の背面に食い込み接触させて、扉にアースを取るようにしたので、ハンドルの扉への取り付けに用いる受け座の軸筒に簡易かつ確実に取り付けて、ハンドルの静電気の帯電を防止し、ユーザーのハンドルレバーの操作の際に静電気による痛みなどの電気ショックを防止することができる、という本発明独自の格別な効果を奏する。
【図面の簡単な説明】
【０００９】
【図１】本発明の一実施の形態によるハンドル用帯電防止金具をその適用対象となるハンドル及びその付属部品とともに示す斜視図
【図２】同ハンドル用帯電防止金具単体を示す図（（ａ）は平面図（ｂ）は正面図（ｃ）は側面図）
【図３】同ハンドル用帯電防止金具の要部を拡大して示す図（（ａ）は図２のＡ部を拡大して示す図（ｂ）は図２のＢ部を拡大して示す図）
【図４】本発明の他の実施の形態によるハンドル用帯電防止金具単体を示す図（（ａ）は平面図（ｂ）は正面図（ｃ）は側面図）
【発明を実施するための形態】
【００１０】
次に、この発明を実施するための形態について図を用いて説明する。
図１にハンドル用帯電防止金具をその適用対象の一例となるハンドル及びその付属部品とともに示している。なお、図１中、Ｄは扉で、この扉Ｄのパネルには絶縁性を有する塗装が施されている。
図１に示すように、ハンドルＨはＬ型ハンドルで、受け座３０と、駆動軸４０と、ハンドルレバー５０とを備えて構成される。
受け座３０は大径の座部１０と小径の軸筒２０とからなり、座部１０は座面１０１の中心部の周囲に一対の回り止め用の凸起１０２を有し、軸筒２０は座部１０の中心部を貫通して座部１０の正面、背面（座面１０１）から延び、座部１０（の座面１０１）から延びる先端側の外周面にねじ２０１が形成される。この場合、受け座３０は座部１０が座面１０１を円形の平坦面とする円盤状に形成され、一対の回り止め用の凸起１０２は座面１０１の中心部の上下に対称的に設けられる。軸筒２０は断面円形の長い円筒状に形成されて、座部１０の正面、背面から所定の長さに延ばされ、座部１０の座面（背面）１０１から延びる先端側の外周面にのみねじ２０１が切られる。駆動軸４０はこの受け座３０の軸筒２０内に回転可能に挿通され、ハンドルレバー５０はこの駆動軸４０に作動連結されて、軸筒２０の基端部に連結される。
このハンドルＨを扉Ｄに取り付けるときは、扉Ｄのパネルのハンドル取付位置にハンドルＨの軸筒２０を挿通可能な取付穴ｄ１０と、ハンドルＨの座部１０の一対の回り止め用の凸起１０２をそれぞれ嵌挿可能な一対の回り止め用の孔ｄ２０とを穿設する。この場合、ハンドルＨの座部１の各回り止め用の凸起１０２は座面１０１の中心部の上下に対称的に設けられているので、これに対応して、扉Ｄのパネルには一対の回り止め用の穴ｄ２０を取付穴ｄ１０の上下に対称的に穿つ。扉Ｄに取付穴ｄ１０、一対の回り止め用の穴ｄ２０を形成したら、ハンドルＨの軸筒２０を先端から扉Ｄの取付穴ｄ１０に通すとともに、座部１０の各回り止め用の凸起１０２を扉Ｄの各回り止め用の穴ｄ２０に嵌め込んで座部１０の座面１０１を扉Ｄのパネルの正面に当接させ、この状態から、扉Ｄのパネルの背面側で、軸筒２０に座金６０、この場合、歯付き座金６０を介して六角ナット７０を締結する。そして、駆動軸４０の先端に止め金（図示省略）を取付ねじ（図示省略）により取り付け、キャビネット又はケースなどの固定枠に受け金（図示省略）を取り付ける。
なお、この実施の形態では、ハンドルＨの座部１０の各回り止め用の凸起１０２が軸筒２０の外周面から離間された位置に別体として突設されているため、扉Ｄのパネルに各回り止め用の穴ｄ２０を取付穴ｄ１０から少し離れた位置に別の穴として穿設したが、回り止め用の凸起が軸筒の外周面上に一体的に突設される場合には、扉のパネルに回り止め用の穴を取付穴の（縁部の）一部に一体的に形成する。
このようにしてハンドルＨは扉Ｄに取り付けられ、ハンドルレバー５０を回動操作することにより、駆動軸４０を回転し、止め金を回動して固定枠側の受け金に係脱する形式になっている。
【００１１】
図１に示すように、ハンドル用帯電防止金具Ａ１（以下、単に帯電防止金具Ａ１という。）は、金属材からなり、ハンドルＨの受け座３０の軸筒２０を挿通可能に形成されるリング状の本体１と、リング状の本体１の一部に形成され、扉Ｄのパネルの各回り止め用の穴ｄ２０に係合可能に突出される係止部１１と、リング状の本体１の一部に形成され、扉Ｄのパネルの背面に食い込み可能に突出される突起１２とを備えて構成される。
この帯電防止金具Ａ１では、図２に示すように、リング状の本体１が略円形の平板からなり、内周は円形に、外周は略円形で、上部、下部にそれぞれ、係止部１１が断面略Ｌ字形の突出形状で適宜の突出長さに形成される。なお、この場合、リング状の本体１の外周は各係止部１１の両側が少し直線的に形成され、各係止部１１の先端縁と略平行になっている。そして、突起１２は、リング状の本体１の外周（縁部）で各係止部１１間中央にそれぞれ、切り起しにより対称的に対にして形成される。この場合、一方の突起１２は、図３に示すように、リング状の本体１の外周に切り込み１２０が上部の係止部１１に向けて上方斜めに設けられて、刃先１２１側が係止部１１の突出方向と同じ側に扉Ｄのパネルの背面に対して食い込みに適した適宜の角度に切り起され、他方の突起１２は、リング状の本体１の外周に切り込み１２０が下部の係止部１１に向けて下方斜めに設けられて、刃先１２１側が係止部１１の突出方向と同じ側に扉Ｄのパネルの背面に対して食い込みに適した適宜の角度に切り起される。
【００１２】
このようにして帯電防止金具Ａ１は、図１に示すように、ハンドルＨを扉Ｄに取り付ける際に、扉Ｄの背面側でリング状の本体１を扉Ｄの取付穴ｄ１０に通されたハンドルＨの軸筒２０の周囲に取り付けて扉Ｄのパネルの背面と六角ナット７０及び歯付き座金６０との間に介装し、各係止部１１を扉Ｄの取付孔ｄ１０の上下の各回り止め用の穴ｄ２０に差し込み係止した状態から、六角ナット７０の締め込みにより歯付き座金６０を介してリング状の本体１を扉Ｄのパネルの背面に圧接し、この本体１の外周の各突起１２を扉Ｄのパネルの背面に食い込み接触させて、扉Ｄにアースを取る。
この帯電防止金具Ａ１においては、リング状の本体１の上下部の各係止部１１が扉Ｄの取付孔ｄ１０の上下の各回り止め用の穴ｄ２０に差し込み係止された状態から、六角ナット７０をハンドルＨの軸筒２０に締め込むので、六角ナット７０の締め込みの間、帯電防止金具Ａ１が六角ナット７０とともに回ることがなく、帯電防止金具Ａ１が空回りして各突起１２が扉Ｄのパネルの背面を傷付けるようなことがない。
そして、六角ナット７０がハンドルＨの軸筒２０に締め込まれて、ハンドルＨが扉Ｄに取り付けられ、リング状の本体１が扉Ｄのパネルの背面に圧接されて、この本体１の扉Ｄのパネルの背面への圧接により各突起１２が扉Ｄのパネルの背面に食い込み接触されて、突起１２の刃先１２１が扉Ｄのパネル表面の塗装の膜を突き破り、扉Ｄのパネルの金属部分に達して、ハンドルＨから扉Ｄへのアースが確保される。これにより、ハンドルＨの帯電が防止され、ユーザーが扉Ｄを開閉するため、手でハンドルレバー５０を触っても、ハンドルＨの静電気がユーザーの人体に放電され電気ショック（痛み）を受けることがない。
【００１３】
以上説明したように、この帯電防止金具Ａ１は、金属材からなるリング状の本体１に一対の係止部１１と、一対の突起１２とを備えて構成され、ハンドルＨの軸筒２０を扉Ｄのパネルに穿設した取付穴ｄ１０に通すとともに、ハンドルＨの各回り止め用の凸起１０２を扉Ｄの取付穴ｄ１０の周囲に穿設した各回り止め用の穴ｄ２０に嵌め込み、この状態から、扉Ｄの背面側でリング状の本体１を軸筒２０の周囲に取り付けて扉Ｄのパネルの背面とナット７０との間に介装し、軸筒２０にナット７０を締結して、ハンドルＨを扉Ｄに取り付けるとともに、このナット７０の締め込みによりリング状の本体１を扉Ｄのパネルの背面に圧接し、この本体１の各突起１２を扉Ｄのパネルの背面に食い込み接触させて、扉Ｄにアースを取るようにしたので、この帯電防止金具Ａ１をハンドルＨの扉Ｄへの取り付けに用いる受け座３０の軸筒２０に簡易かつ確実に取り付けて、ハンドルＨの静電気の帯電を防止し、ユーザーのハンドルレバー５０の操作の際に静電気による痛みなどの電気ショックを防止することができる。
また、この帯電防止金具Ａ１は、扉に新規にハンドルを取り付ける場合や扉の既存のハンドルを交換する場合に、ハンドルの扉への取り付けとともにハンドルに取り付けて、ハンドルの帯電を防止することができ、また、既存のハンドルにも後付けで取り付けて、ハンドルの帯電を防止することができる。
【００１４】
なお、この実施の形態では、リング状の本体１（の外形）を略円形に形成したが、この本体１の形状は、円形に限定されるものではなく、この本体１の面全体がナット７０により圧接可能な形状である限り、任意であり、例えば、図４に示すように、リング状の本体１の外周の上下の各突起１１の両側を水平方向に長くして、太鼓型の外形としてもよい。このような帯電防止金具Ａ２の場合でも、基本構成は上記帯電防止金具Ａ１と同様であり、各部に、上記帯電防止金具Ａ１と同様の符号を付してある。さらに、このリング状の本体の外形は、この本体の面全体がナットにより圧接可能な形状である限り、角形であってもよい。
また、この実施の形態では、各突起１２をリング状の本体１の外周（縁部）に設けたが、リング状の本体１の一方の面若しくは内周（縁部）に設けてもよい。
このようにしても上記実施の形態と同様の作用効果を得ることができる。
【符号の説明】
【００１５】
Ｈ  ハンドル（Ｌ型ハンドル）
１０  座部
１０１  座面
１０２  回り止め用の凸起
２０  軸筒
２０１  ねじ
３０  受け座
４０  駆動軸
５０  ハンドルレバー
６０  座金（歯付き座金）
７０  ナット（六角ナット）
Ｄ  扉
ｄ１０  取付穴
ｄ２０  回り止め用の穴
Ａ１、Ａ２  ハンドル用帯電防止金具
１  リング状の本体
１１  係止部
１２  突起
１２０  切り込み
１２１  刃先
【図１】
0006493971.tif 000002
【図２】
0006493971.tif 000003
【図３】
0006493971.tif 000004
【図４】
0006493971.tif 000005